(57)【特許請求の範囲】
【請求項１】
各画素がＲ副画素、Ｇ副画素、Ｂ副画素を含み、各副画素がメイン副画素エリアとサブ副画素エリアを含む液晶パネルの結像時における画素のグレースケール値を設定する方法であって、
正面視状況と側方視状況に、画素の各副画素のメイン副画素エリアが各グレースケール値である時の三刺激値データとサブ副画素エリアが各グレースケール値である時の三刺激値データをそれぞれ取得することと、
正面視状況と側方視状況に、前記画素をグレースケールｉ（ｉ∈［ｍ，ｎ］、ｍは画素の最小グレースケールであり、ｎは画素の最大グレースケールである）に白に呈する理論輝度値をそれぞれ取得することと、
取得された三刺激値データと理論輝度値に基づき、前記画素をグレースケールｉに白に呈する各副画素のメイン副画素エリアの実際グレースケール値とサブ副画素エリアの実際グレースケール値を決定することと、
を含み、
前記取得された三刺激値データと理論輝度値により、前記画素をグレースケールｉに白に呈する各副画素のメイン副画素エリアの実際グレースケール値とサブ副画素エリアの実際グレースケール値を決定するステップは、
Δ１、Δ２、Δ３、Δ４、Δ５とΔ６のプリセット条件に満足できるＲ副画素のメイン副画素エリアのグレースケール値ＲＭｉ、Ｒ副画素のサブ副画素エリアのグレースケール値ＲＳｉ、Ｇ副画素のメイン副画素エリアのグレースケール値ＧＭｉ、Ｇ副画素のサブ副画素エリアのグレースケール値ＧＳｉ、Ｂ副画素のメイン副画素エリアのグレースケール値ＢＭｉとＢ副画素のサブ副画素エリアのグレースケール値ＢＳｉを、前記画素をグレースケールｉに白に呈するＲ副画素のメイン副画素エリアの実際グレースケール値、Ｒ副画素のサブ副画素エリアの実際グレースケール値、Ｇ副画素のメイン副画素エリアの実際グレースケール値、Ｇ副画素のサブ副画素エリアの実際グレースケール値、Ｂ副画素のメイン副画素エリアの実際グレースケール値とＢ副画素のサブ副画素エリアの実際グレースケール値に決定すること、
を含み、
Δ１＝ｘｉ−（ＲＭｉ（Ｘ）＋ＧＭｉ（Ｘ）＋ＢＭｉ（Ｘ）＋ＲＳｉ（Ｘ）＋ＧＳｉ（Ｘ）＋ＢＳｉ（Ｘ））／Ｓ、
Δ２＝ｙｉ−（ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ））／Ｓ、
Δ３＝ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ）−Ｌｖｉ、
Δ４＝ｘｉ−（ＲＭｉ（Ｘ）’＋ＧＭｉ（Ｘ）’＋ＢＭｉ（Ｘ）’＋ＲＳｉ（Ｘ）’＋ＧＳｉ（Ｘ）’＋ＢＳｉ（Ｘ）’）／Ｓ’、
Δ５＝ｙｉ−（ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’）／Ｓ’、
Δ６＝ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’−Ｌｖｉ’、
（ｘｉ、ｙｉ）はＣＩＥ１９３１色空間にグレースケールｉに呈した白に対応する座標を指示し、
Ｓ＝ＲＭｉ（Ｘ）＋ＲＭｉ（Ｙ）＋ＲＭｉ（Ｚ）＋ＧＭｉ（Ｘ）＋ＧＭｉ（Ｙ）＋ＧＭｉ（Ｚ）＋ＢＭｉ（Ｘ）＋ＢＭｉ（Ｙ）＋ＢＭｉ（Ｚ）＋ＲＳｉ（Ｘ）＋ＲＳｉ（Ｙ）＋ＲＳｉ（Ｚ）＋ＧＳｉ（Ｘ）＋ＧＳｉ（Ｙ）＋ＧＳｉ（Ｚ）＋ＢＳｉ（Ｘ）＋ＢＳｉ（Ｙ）＋ＢＳｉ（Ｚ）、
Ｓ’＝ＲＭｉ（Ｘ）’＋ＲＭｉ（Ｙ）’＋ＲＭｉ（Ｚ）’＋ＧＭｉ（Ｘ）’＋ＧＭｉ（Ｙ）’＋ＧＭｉ（Ｚ）’＋ＢＭｉ（Ｘ）’＋ＢＭｉ（Ｙ）’＋ＢＭｉ（Ｚ）’＋ＲＳｉ（Ｘ）’＋ＲＳｉ（Ｙ）’＋ＲＳｉ（Ｚ）’＋ＧＳｉ（Ｘ）’＋ＧＳｉ（Ｙ）’＋ＧＳｉ（Ｚ）’＋ＢＳｉ（Ｘ）’＋ＢＳｉ（Ｙ）’＋ＢＳｉ（Ｚ）’、
ＲＭｉ（Ｘ）、ＲＭｉ（Ｙ）、ＲＭｉ（Ｚ）とＲＭｉ（Ｘ）’、ＲＭｉ（Ｙ）’、ＲＭｉ（Ｚ）’は正面視状況と側方視状況においてＲ副画素のメイン副画素エリアがＲＭｉである時の三刺激値をそれぞれ指示し、ＲＳｉ（Ｘ）、ＲＳｉ（Ｙ）、ＲＳｉ（Ｚ）とＲＳｉ（Ｘ）’、ＲＳｉ（Ｙ）’、ＲＳｉ（Ｚ）’は正面視状況と側方視状況にＲ副画素のサブ副画素エリアがＲＳｉである時の三刺激値をそれぞれ指示し、ＧＭｉ（Ｘ）、ＧＭｉ（Ｙ）、ＧＭｉ（Ｚ）とＧＭｉ（Ｘ）’、ＧＭｉ（Ｙ）’、ＧＭｉ（Ｚ）'は正面視状況と側方視状況においてＧ副画素のメイン副画素エリアがＧＭｉである時の三刺激値をそれぞれ指示し、ＧＳｉ（Ｘ）、ＧＳｉ（Ｙ）、ＧＳｉ（Ｚ）とＧＳｉ（Ｘ）’、ＧＳｉ（Ｙ）’、ＧＳｉ（Ｚ）’は正面視状況と側方視状況にＧ副画素のサブ副画素エリアがＧＳｉである時の三刺激値をそれぞれ指示し、ＢＭｉ（Ｘ）、ＢＭｉ（Ｙ）、ＢＭｉ（Ｚ）とＢＭｉ（Ｘ）’、ＢＭｉ（Ｙ）’、ＢＭｉ（Ｚ）’は正面視状況と側方視状況においてＢ副画素のメイン副画素エリアがＢＭｉである時の三刺激値をそれぞれ指示し、ＢＳｉ（Ｘ）、ＢＳｉ（Ｙ）、ＢＳｉ（Ｚ）とＢＳｉ（Ｘ）’、ＢＳｉ（Ｙ）’、ＢＳｉ（Ｚ）’は正面視状況と側方視状況においてＢ副画素のサブ副画素エリアがＢＳｉである時の三刺激値をそれぞれ指示し、ＬｖｉとＬｖｉ’は正面視状況と側方視状況に前記画素をグレースケールｉに白に呈する理論輝度値をそれぞれ指示し、
Δ１、Δ２、Δ３、Δ４、Δ５とΔ６が満足できるプリセット条件は、Δ＝Δ１＋Δ２＋Δ３＋Δ４＋Δ５＋Δ６が最小値に達することと、Δ＝Δ１２＋Δ２２＋Δ３２＋Δ４２＋Δ５２＋Δ６２が最小値に達することと、Δ＝ａΔ１２＋ｂΔ２２＋ｃΔ３２＋ｄΔ４２＋ｅΔ５２＋ｆΔ６２が最小値に達することとの一つであり、ａ、ｂ、ｃ、ｄ、ｅとｆは加重係数である、ことを特徴とする方法。
【請求項２】
前記正面視状況と側方視状況において、前記画素をグレースケールｉに白に呈する理論輝度値をそれぞれ取得するステップは、
以下の方程式により、正面視状況と側方視状況において、前記画素をグレースケールｉに白に呈する理論輝度値ＬｖｉとＬｖｉ’を取得するステップ、
Ｌｖｉ＝Ｌｖ（ｎ）＊（ｉ／ｎ）γ、
Ｌｖｉ’＝Ｌｖ（ｎ）’＊（ｉ／ｎ）γ、
を含み、
Ｌｖ（ｎ）とＬｖ（ｎ）’は正面視状況と側方視状況において、前記画素をグレースケールｎに白に呈する実際輝度値をそれぞれ指示し、γはプリセットガンマレイ値である、
ことを特徴とする請求項１に記載の方法。
【請求項３】
γは２．２である、
ことを特徴とする請求項２に記載の方法。
【請求項４】
ｍは０であり、ｎは２５５である、
ことを特徴とする請求項１に記載の方法。
【請求項５】
前記正面視状況は液晶パネルの垂直方向に０゜に呈する視角で液晶パネルを観察することであり、前記側方視状況は液晶パネルの垂直方向にプリセット角度に呈する視角で液晶パネルを観察することである、
ことを特徴とする請求項１に記載の方法。
【請求項６】
前記プリセット角度は６０゜である、
ことを特徴とする請求項５に記載の方法。
【発明の詳細な説明】
【技術分野】
【０００１】
本発明は概して液晶ディスプレー技術分野に関し、更に具体的には、液晶パネルの結像時における画素のグレースケール値を設定する方法に関する。
【背景技術】
【０００２】
近年、液晶ディスプレー（ＬＣＤ）は体積が小さく、重量が軽く、表示品質が高い等の利点により、徐々に従来のブラウン管（ＣＲＴ）ディスプレーを代替する。液晶ディスプレーの液晶パネルは複数のアレイに配列された画素により構成され、各画素は一般にそれぞれ各種の色を表示できる副画素（例えば、Ｒ副画素、Ｇ副画素とＢ副画素）により構成され、各副画素が表示された輝度は液晶ディスプレーのバックライトモジュールの輝度と該液晶パネルの副画素のグレースケールと共に決定する。従来の液晶ディスプレーの駆動方法において、最も一般的に使用される方法はバックライトの輝度を固定輝度に維持させ、入力された画像資料により、それぞれ異なるサイズのグレースケール電圧により該液晶パネルの各副画素内の液晶分子を回転するように駆動し、グレースケール表示と画像ディスプレーの目的を達成するように、液晶分子の回転角度により各副画素の透過率（即ち、輝度）を決定する。
【０００３】
液晶ディスプレーの継続的な応用に伴い、人々は液晶ディスプレーの視角に対する要求も徐々に向上され、従って、例えば、ＭＶＡＬＣＤ等のような、可視角度がより大きい広視野角液晶ディスプレーを開発した。このような広視野角液晶ディスプレーは２Ｄ１Ｇ技術、ホワイトバランス技術等の技術により広視野角画像の表示を行う。図１は従来の２Ｄ１Ｇ技術を採用する液晶パネルの画素の構造見取り図を示し、図１に示すように、画素はＲ副画素、Ｇ副画素、Ｂ副画素を含み、各副画素は又メイン副画素エリアとサブ副画素エリアをそれぞれ含む。図１を例として、ビデオ資料を受信した後、一般に、先に２Ｄ１Ｇ技術を採用し、各副画素のメイン副画素エリアとサブ副画素エリアに相応するグレースケール電圧を加えることにより、画素を相応する輝度に呈することができる。その後、ホワイトバランス技術を採用し、画素の各副画素に相応するグレースケール電圧を加えることにより、画素を相応するグレースケールにおいて白に呈することができる。一般に、ホワイトバランス処理を行った後、その前に行った２Ｄ１Ｇ処理の効果を影響し、表示された広視野角画像は色誤差、ライトリーク等の現象が容易に表れるように、各副画素のガンマ曲線は一般にガンマ値が２．２であるガンマ曲線に二度と正確に重合しない。
【発明の概要】
【課題を解決するための手段】
【０００４】
本発明の例示的実施例は、従来技術により表示する広視野角画像は色誤差、ライトリーク等の現象が容易に表れる問題を克服するように、液晶パネルの結像時における画素のグレースケール値を設定する方法を提供する。
【０００５】
本発明の例示的実施例により、各画素はＲ副画素、Ｇ副画素及びＢ副画素を含み、各副画素はメイン副画素エリアとサブ副画素エリアを含む液晶パネルの結像時における画素のグレースケール値を設定する方法を提供し、前記方法は、正面視状況と側方視状況に、画素の各副画素のメイン副画素エリアが各グレースケール値である時の三刺激値データとサブ副画素エリアが各グレースケール値である時の三刺激値データをそれぞれ取得することと、正面視状況と側方視状況に、前記画素をグレースケールｉ（ｉ∈［ｍ，ｎ］、ｍは画素の最小グレースケールであり、ｎは画素の最大グレースケールである）に白に呈する理論輝度値をそれぞれ取得することと、取得された三刺激値データと理論輝度値により、前記画素をグレースケールｉに白に呈する各副画素のメイン副画素エリアの実際グレースケール値とサブ副画素エリアの実際のグレースケール値を決定することとを含む。
【０００６】
好ましくは、前記取得された三刺激値データと理論輝度値により、前記画素をグレースケールｉに白に呈する各副画素のメイン副画素エリアの実際グレースケール値とサブ副画素エリアの実際のグレースケール値を決定するステップは、Δ１、Δ２、Δ３、Δ４、Δ５とΔ６のプリセット条件に満足できるＲ副画素のメイン副画素エリアのグレースケール値ＲＭｉ、Ｒ副画素のサブ副画素エリアのグレースケール値ＲＳｉ、Ｇ副画素のメイン副画素エリアのグレースケール値ＧＭｉ、Ｇ副画素のサブ副画素エリアのグレースケール値ＧＳｉ、Ｂ副画素のメイン副画素エリアのグレースケール値ＢＭｉとＢ副画素のサブ副画素エリアのグレースケール値ＢＳｉを、前記画素をグレースケールｉに白に呈するＲ副画素のメイン副画素エリアの実際グレースケール値、Ｒ副画素のサブ副画素エリアの実際グレースケール値、Ｇ副画素のメイン副画素エリアの実際グレースケール値、Ｇ副画素のサブ副画素エリアの実際グレースケール値、Ｂ副画素のメイン副画素エリアの実際グレースケール値とＢ副画素のサブ副画素エリアの実際グレースケール値に決定するステップを含み、
Δ１＝ｘｉ−（ＲＭｉ（Ｘ）＋ＧＭｉ（Ｘ）＋ＢＭｉ（Ｘ）＋ＲＳｉ（Ｘ）＋ＧＳｉ（Ｘ）＋ＢＳｉ（Ｘ））／Ｓ、
Δ２＝ｙｉ−（ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ））／Ｓ、
Δ３＝ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ）−Ｌｖｉ、
Δ４＝ｘｉ−（ＲＭｉ（Ｘ）’＋ＧＭｉ（Ｘ）’＋ＢＭｉ（Ｘ）’＋ＲＳｉ（Ｘ）’＋ＧＳｉ（Ｘ）’＋ＢＳｉ（Ｘ）’）／Ｓ’、
Δ５＝ｙｉ−（ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’）／Ｓ’、
Δ６＝ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’−Ｌｖｉ’、
（ｘｉ、ｙｉ）はＣＩＥ１９３１色空間にグレースケールｉに呈した白に対応する座標を指示し、
Ｓ＝ＲＭｉ（Ｘ）＋ＲＭｉ（Ｙ）＋ＲＭｉ（Ｚ）＋ＧＭｉ（Ｘ）＋ＧＭｉ（Ｙ）＋ＧＭｉ（Ｚ）＋ＢＭｉ（Ｘ）＋ＢＭｉ（Ｙ）＋ＢＭｉ（Ｚ）＋ＲＳｉ（Ｘ）＋ＲＳｉ（Ｙ）＋ＲＳｉ（Ｚ）＋ＧＳｉ（Ｘ）＋ＧＳｉ（Ｙ）＋ＧＳｉ（Ｚ）＋ＢＳｉ（Ｘ）＋ＢＳｉ（Ｙ）＋ＢＳｉ（Ｚ）、
Ｓ’＝ＲＭｉ（Ｘ）’＋ＲＭｉ（Ｙ）’＋ＲＭｉ（Ｚ）’＋ＧＭｉ（Ｘ）’＋ＧＭｉ（Ｙ）’＋ＧＭｉ（Ｚ）’＋ＢＭｉ（Ｘ）’＋ＢＭｉ（Ｙ）’＋ＢＭｉ（Ｚ）’＋ＲＳｉ（Ｘ）’＋ＲＳｉ（Ｙ）’＋ＲＳｉ（Ｚ）’＋ＧＳｉ（Ｘ）’＋ＧＳｉ（Ｙ）’＋ＧＳｉ（Ｚ）’＋ＢＳｉ（Ｘ）’＋ＢＳｉ（Ｙ）’＋ＢＳｉ（Ｚ）’、
ＲＭｉ（Ｘ）、ＲＭｉ（Ｙ）、ＲＭｉ（Ｚ）とＲＭｉ（Ｘ）’、ＲＭｉ（Ｙ）’、ＲＭｉ（Ｚ）’は正面視状況と側方視状況にＲ副画素のメイン副画素エリアがＲＭｉである時の三刺激値をそれぞれ指示し、ＲＳｉ（Ｘ）、ＲＳｉ（Ｙ）、ＲＳｉ（Ｚ）とＲＳｉ（Ｘ）’、ＲＳｉ（Ｙ）’、ＲＳｉ（Ｚ）’は正面視状況と側方視状況にＲ副画素のサブ副画素エリアがＲＳｉである時の三刺激値をそれぞれ指示し、ＧＭｉ（Ｘ）、ＧＭｉ（Ｙ）、ＧＭｉ（Ｚ）とＧＭｉ（Ｘ）’、ＧＭｉ（Ｙ）’、ＧＭｉ（Ｚ）’は正面視状況と側方視状況にＧ副画素のメイン副画素エリアがＧＭｉである時の三刺激値をそれぞれ指示し、ＧＳｉ（Ｘ）、ＧＳｉ（Ｙ）、ＧＳｉ（Ｚ）とＧＳｉ（Ｘ）’、ＧＳｉ（Ｙ）’、ＧＳｉ（Ｚ）’は正面視状況と側方視状況にＧ副画素のサブ副画素エリアがＧＳｉである時の三刺激値をそれぞれ指示し、ＢＭｉ（Ｘ）、ＢＭｉ（Ｙ）、ＢＭｉ（Ｚ）とＢＭｉ（Ｘ）’、ＢＭｉ（Ｙ）’、ＢＭｉ（Ｚ）’は正面視状況と側方視状況にＢ副画素のメイン副画素エリアがＢＭｉである時の三刺激値をそれぞれ指示し、ＢＳｉ（Ｘ）、ＢＳｉ（Ｙ）、ＢＳｉ（Ｚ）とＢＳｉ（Ｘ）’、ＢＳｉ（Ｙ）’、ＢＳｉ（Ｚ）’は正面視状況と側方視状況にＢ副画素のサブ副画素エリアがＢＳｉである時の三刺激値をそれぞれ指示し、ＬｖｉとＬｖｉ’は正面視状況と側方視状況に前記画素をグレースケールｉに白に呈する理論輝度値をそれぞれ指示する。
【０００７】
好ましくは、Δ１、Δ２、Δ３、Δ４、Δ５とΔ６が満足できるプリセット条件は、Δ＝Δ１＋Δ２＋Δ３＋Δ４＋Δ５＋Δ６が最小値に達することと、Δ＝Δ１２＋Δ２２＋Δ３２＋Δ４２＋Δ５２＋Δ６２が最小値に達することと、Δ＝ａΔ１２＋ｂΔ２２＋ｃΔ３２＋ｄΔ４２＋ｅΔ５２＋ｆΔ６２が最小値に達することとの１つであり、ａ、ｂ、ｃ、ｄ、ｅとｆは加重係数である。
【０００８】
好ましくは、前記正面視状況と側方視状況に、前記画素をグレースケールｉに白に呈する理論輝度値をそれぞれ取得するステップは、以下の方程式により正面視状況と側方視状況に前記画素をグレースケールｉに白に呈する理論輝度値ＬｖｉとＬｖｉ’を取得するステップを含み、
Ｌｖｉ＝Ｌｖ（ｎ）＊（ｉ／ｎ）γ、
Ｌｖｉ’＝Ｌｖ（ｎ）’＊（ｉ／ｎ）γ、
Ｌｖ（ｎ）とＬｖ（ｎ）’は正面視状況と側方視状況に、前記画素をグレースケールｎに白に呈する実際輝度値をそれぞれ指示し、γはプリセットガンマレイ値である。
【０００９】
好ましくは、γは２．２である。
【００１０】
好ましくは、ｍは０であり、ｎは２５５である。
【００１１】
好ましくは、前記正面視状況は液晶パネルの垂直方向に０°に呈する視角で液晶パネルを観察することであり、前記側方視状況は液晶パネルの垂直方向にプリセット角度に呈する視角で液晶パネルを観察することである。
【００１２】
好ましくは、前記プリセット角度は６０°である。
【００１３】
本発明の例示的実施例の液晶パネルの結像時における画素のグレースケール値を設定する方法に基づき、同時に２Ｄ１Ｇ処理とホワイトバランス処理を効果的に行うことができ、よって効果的に、正確的に液晶パネルの結像時における画素のグレースケール値を設定し、表示された広視野角画像は色誤差、ライトリーク等の現象が容易に表れる問題を改善する。
【００１４】
その後の記述に本発明の全体的考えの他の方面及び／又は利点を部分的説明し、又ある一部は記述により明らかになり、又は本発明の全体的考えの実施により明らかにすることができる。
【図面の簡単な説明】
【００１５】
【図１】従来の２Ｄ１Ｇ技術を採用する液晶パネルの画素の構造見取り図を示す。
【図２】は本発明の例示的実施例に基づき、液晶パネルの結像時における画素のグレースケール値を設定する方法のフローチャートを示す。
【発明を実施するための形態】
【００１６】
詳細に本発明の実施例を参照し、前記実施例の実例は図に示され、同じ符号は終始に同じ部品を指す。以下は、本発明を解釈するために、図面を参照し前記実施例を説明する。
【００１７】
図２は本発明の例示的実施例に基づき、液晶パネルの結像時における画素のグレースケール値を設定する方法のフローチャートを示す。前記液晶パネルの各画素はＲ副画素、Ｇ副画素、Ｂ副画素を含み、各副画素はメイン副画素エリアとサブ副画素エリアを含む。
【００１８】
図２を参照し、ステップＳ１０に、正面視状況と側方視状況に、画素の各副画素のメイン副画素エリアが各グレースケール値である時の三刺激値データとサブ副画素エリアが各グレースケール値である時の三刺激値データをそれぞれ取得する。即ち、正面視状況と側方視状況に、画素のＲ副画素のメイン副画素エリアとサブ副画素エリア、Ｇ副画素のメイン副画素エリアとサブ副画素エリア及びＢ副画素のメイン副画素エリアとサブ副画素エリアが各グレースケール値である時の三刺激値データをそれぞれ取得する。
【００１９】
ここで、前記正面視状況は液晶パネルの垂直方向に０°に呈する視角で液晶パネルを観察することであってもよい、前記側方視状況は液晶パネルの垂直方向に３０°〜８０°の任意の角度であってもよいプリセット角度に呈する視角で液晶パネルを観察することであってもよい。好ましくは、前記プリセット角度は６０°であってもよい。
【００２０】
理解すべきことは、従来の各種の方法により、画素の各副画素のメイン副画素エリアが各グレースケール値である時の三刺激値データとサブ副画素エリアが各グレースケール値である時の三刺激値データを取得する。
【００２１】
ステップＳ２０において、正面視状況と側方視状況に、前記画素をグレースケールｉ（ｉ∈［ｍ，ｎ］、ｍは画素の最小グレースケールであり、ｎは画素の最大グレースケールである）に白に呈する理論輝度値をそれぞれ取得する。
【００２２】
理解すべきことは、画素のグレースケールの数は液晶パネルの違いにより異なり、例えば、液晶パネルは８ビット液晶パネルである時、グレースケールの数は２５６であり、グレースケールは順に０、１、２〜２５５に表示されることができる。この時、最小グレースケールは０であり、最大グレースケールｍは２５５である。相応的に、ステップＳ１０に取得された各グレースケール値である時の三刺激値データは、即ち、それぞれグレースケール値が０、１、２〜２５５である時の三刺激値データである。
【００２３】
例えば、液晶パネルは１０ビット液晶パネルである時、グレースケール数は１０２４であり、グレースケールは順に０、１、２〜１０２３に表示される。この時、最小グレースケールは０であり、最大グレースケールｍは１０２３である。相応的に、ステップＳ１０に取得された各グレースケール値である時の三刺激値データは、即ち、それぞれグレースケール値が０、１、２〜１０２３である時の三刺激値データである。
【００２４】
理解すべきことは、従来の各種の方法を介して、正面視状況と側方視状況に、前記画素をグレースケールｉに白に呈する理論輝度値を取得してもよい。
【００２５】
実例として、以下の方程式により、正面視状況と側方視状況に、前記画素をグレースケールｉに白に呈する理論輝度値ＬｖｉとＬｖｉ’を取得してもよい。
Ｌｖｉ＝Ｌｖ（ｎ）＊（ｉ／ｎ）γ                  （１）、
Ｌｖｉ’＝Ｌｖ（ｎ）’＊（ｉ／ｎ）γ                （２）、
Ｌｖ（ｎ）とＬｖ（ｎ）’は正面視状況と側方視状況に、前記画素をグレースケールｎに白に呈する実際輝度値をそれぞれ指示し、γはプリセットガンマレイ値である。好ましくは、γは２．２であってもよい。
【００２６】
ここで、従来の各種の方法を使用してＬｖ（ｎ）とＬｖ（ｎ）’を取得することができる。例えば、正面視状況に実際に測量し得られた前記画素のグレースケールｎに白に呈する時の前記画素の輝度値をＬｖ（ｎ）としてもよい、側方視状況に実際に測量し得られた前記画素のグレースケールｎに白に呈する時の前記画素の輝度値をＬｖ（ｎ）’としてもよい。
【００２７】
ステップＳ３０において、取得された三刺激値データと理論輝度値に基づき、前記画素をグレースケールｉに白に呈する各副画素のメイン副画素エリアの実際グレースケール値とサブ副画素エリアの実際グレースケール値を決定する。
【００２８】
具体的には、前記画素をグレースケールｉに白に呈するＲ副画素のメイン副画素エリアの実際グレースケール値、Ｒ副画素のサブ副画素エリアの実際グレースケール値、Ｇ副画素のメイン副画素エリアの実際グレースケール値、Ｇ副画素のサブ副画素エリアの実際グレースケール値、Ｂ副画素のメイン副画素エリアの実際グレースケール値、Ｂ副画素のサブ副画素エリアの実際グレースケール値がそれぞれ対応する三刺激値データと、ＣＩＥ１９３１色空間にグレースケールｉに呈した白に対応する座標及び正面視状況と側方視状況に前記画素をグレースケールｉに白に呈する理論輝度値との関係に基づき、上記各実際グレースケール値を決定する。
【００２９】
実例として、Δ１、Δ２、Δ３、Δ４、Δ５とΔ６のプリセット条件に満足できるＲ副画素のメイン副画素エリアのグレースケール値ＲＭｉ、Ｒ副画素のサブ副画素エリアのグレースケール値ＲＳｉ、Ｇ副画素のメイン副画素エリアのグレースケール値ＧＭｉ、Ｇ副画素のサブ副画素エリアのグレースケール値ＧＳｉ、Ｂ副画素のメイン副画素エリアのグレースケール値ＢＭｉとＢ副画素のサブ副画素エリアのグレースケール値ＢＳｉを、前記画素をグレースケールｉに白に呈するＲ副画素のメイン副画素エリアの実際グレースケール値、Ｒ副画素のサブ副画素エリアの実際グレースケール値、Ｇ副画素のメイン副画素エリアの実際グレースケール値、Ｇ副画素のサブ副画素エリアの実際グレースケール値、Ｂ副画素のメイン副画素エリアの実際グレースケール値とＢ副画素のサブ副画素エリアの実際グレースケール値に決定し、
Δ１＝ｘｉ−（ＲＭｉ（Ｘ）＋ＧＭｉ（Ｘ）＋ＢＭｉ（Ｘ）＋ＲＳｉ（Ｘ）＋ＧＳｉ（Ｘ）＋ＢＳｉ（Ｘ））／Ｓ、      （３）、
Δ２＝ｙｉ−（ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ））／Ｓ        （４）、
Δ３＝ＲＭｉ（Ｙ）＋ＧＭｉ（Ｙ）＋ＢＭｉ（Ｙ）＋ＲＳｉ（Ｙ）＋ＧＳｉ（Ｙ）＋ＢＳｉ（Ｙ）−Ｌｖｉ                （５）、
Δ４＝ｘｉ−（ＲＭｉ（Ｘ）’＋ＧＭｉ（Ｘ）’＋ＢＭｉ（Ｘ）’＋ＲＳｉ（Ｘ）’＋ＧＳｉ（Ｘ）’＋ＢＳｉ（Ｘ）’）／Ｓ’（６）、
Δ５＝ｙｉ−（ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’）／Ｓ’（７）、
Δ６＝ＲＭｉ（Ｙ）’＋ＧＭｉ（Ｙ）’＋ＢＭｉ（Ｙ）’＋ＲＳｉ（Ｙ）’＋ＧＳｉ（Ｙ）’＋ＢＳｉ（Ｙ）’−Ｌｖｉ’              （８）、
（ｘｉ、ｙｉ）はＣＩＥ１９３１色空間にグレースケールｉに呈した白に対応する座標を指示し、
Ｓ＝ＲＭｉ（Ｘ）＋ＲＭｉ（Ｙ）＋ＲＭｉ（Ｚ）＋ＧＭｉ（Ｘ）＋ＧＭｉ（Ｙ）＋ＧＭｉ（Ｚ）＋ＢＭｉ（Ｘ）＋ＢＭｉ（Ｙ）＋ＢＭｉ（Ｚ）＋ＲＳｉ（Ｘ）＋ＲＳｉ（Ｙ）＋ＲＳｉ（Ｚ）＋ＧＳｉ（Ｘ）＋ＧＳｉ（Ｙ）＋ＧＳｉ（Ｚ）＋ＢＳｉ（Ｘ）＋ＢＳｉ（Ｙ）＋ＢＳｉ（Ｚ）、
Ｓ’＝ＲＭｉ（Ｘ）’＋ＲＭｉ（Ｙ）’＋ＲＭｉ（Ｚ）’＋ＧＭｉ（Ｘ）’＋ＧＭｉ（Ｙ）’＋ＧＭｉ（Ｚ）’＋ＢＭｉ（Ｘ）’＋ＢＭｉ（Ｙ）’＋ＢＭｉ（Ｚ）’＋ＲＳｉ（Ｘ）’＋ＲＳｉ（Ｙ）’＋ＲＳｉ（Ｚ）’＋ＧＳｉ（Ｘ）’＋ＧＳｉ（Ｙ）’＋ＧＳｉ（Ｚ）’＋ＢＳｉ（Ｘ）’＋ＢＳｉ（Ｙ）’＋ＢＳｉ（Ｚ）’、
ＲＭｉ（Ｘ）、ＲＭｉ（Ｙ）、ＲＭｉ（Ｚ）とＲＭｉ（Ｘ）’、ＲＭｉ（Ｙ）’、ＲＭｉ（Ｚ）’は正面視状況と側方視状況にＲ副画素のメイン副画素エリアがＲＭｉである時の三刺激値をそれぞれ指示し、ＲＳｉ（Ｘ）、ＲＳｉ（Ｙ）、ＲＳｉ（Ｚ）とＲＳｉ（Ｘ）’、ＲＳｉ（Ｙ）’、ＲＳｉ（Ｚ）’は正面視状況と側方視状況にＲ副画素のサブ副画素エリアがＲＳｉである時の三刺激値をそれぞれ指示し、ＧＭｉ（Ｘ）、ＧＭｉ（Ｙ）、ＧＭｉ（Ｚ）とＧＭｉ（Ｘ）’、ＧＭｉ（Ｙ）’、ＧＭｉ（Ｚ）’は正面視状況と側方視状況にＧ副画素のメイン副画素エリアがＧＭｉである時の三刺激値をそれぞれ指示し、ＧＳｉ（Ｘ）、ＧＳｉ（Ｙ）、ＧＳｉ（Ｚ）とＧＳｉ（Ｘ）’、ＧＳｉ（Ｙ）’、ＧＳｉ（Ｚ）’は正面視状況と側方視状況にＧ副画素のサブ副画素エリアがＧＳｉである時の三刺激値をそれぞれ指示し、ＢＭｉ（Ｘ）、ＢＭｉ（Ｙ）、ＢＭｉ（Ｚ）とＢＭｉ（Ｘ）’、ＢＭｉ（Ｙ）’、ＢＭｉ（Ｚ）’は正面視状況と側方視状況にＢ副画素のメイン副画素エリアがＢＭｉである時の三刺激値をそれぞれ指示し、ＢＳｉ（Ｘ）、ＢＳｉ（Ｙ）、ＢＳｉ（Ｚ）とＢＳｉ（Ｘ）’、ＢＳｉ（Ｙ）’、ＢＳｉ（Ｚ）’は正面視状況と側方視状況にＢ副画素のサブ副画素エリアがＢＳｉである時の三刺激値をそれぞれ指示し、ＬｖｉとＬｖｉ’は正面視状況と側方視状況に前記画素をグレースケールｉに白に呈する理論輝度値をそれぞれ指示する。
【００３０】
ここでは、ｘｎ、ｘｎ＋１〜、ｘｍは同じ値であってもよく、（例えば、ｎは０であり，ｍは２５５である時、ｘ０、ｘ１〜、ｘ２５５は同じ値であってもよい）、差異がより小さい異なる値であってもよく、例えば、差異は０．０１５以下又は０．０２以下である。相応的に、ｙｎ、ｙｎ＋１〜、ｙｍは同じ値であってもよく、（例えば、ｎは０であり，ｍは２５５である時、ｙ０、ｙ１〜、ｙ２５５は同じ値であってもよい）、差異がより小さい異なる値であってもよく、例えば、差異は０．０１５以下又は０．０２以下である。
【００３１】
実例として、経験と具体的な状況により、Δ１、Δ２、Δ３、Δ４、Δ５とΔ６が満足することが必要なプリセット条件を設置することができる。例えば、Δ１、Δ２、Δ３、Δ４、Δ５とΔ６が満足するプリセット条件はΔ＝Δ１＋Δ２＋Δ３＋Δ４＋Δ５＋Δ６が最小値に達することと、Δ＝Δ１２＋Δ２２＋Δ３２＋Δ４２＋Δ５２＋Δ６２が最小値に達することと、Δ＝ａΔ１２＋ｂΔ２２＋ｃΔ３２＋ｄΔ４２＋ｅΔ５２＋ｆΔ６２が最小値に達することとの１つであり、ａ、ｂ、ｃ、ｄ、ｅとｆは加重係数であり、経験と具体状況によりａ、ｂ、ｃ、ｄ、ｅとｆの値を設置することができる。
【００３２】
それ以外、本発明の例示的実施例の上記方法によりコンピュータープログラムに実現することができ、よって、該プログラムを作動する時、上記方法を実現する。又は、上記方法により画素を各グレースケールに白に呈し、画素に関する各副画素のメイン副画素エリアとサブ副画素エリアの実際グレースケール値のルックアップテーブルを取得し、液晶ディスプレーが実際に表示する時、該ルックアップテーブルを介して各副画素のメイン副画素エリアとサブ副画素エリアに加える必要となる相応なグレースケール電圧を決定することができる。
【００３３】
本発明の例示的実施例の液晶パネルの結像時における画素のグレースケール値を設定する方法に基づき、同時に２Ｄ１Ｇ処理とホワイトバランス処理を効果的に行うことができ、よって順に行った２Ｄ１Ｇ処理とホワイトバランス処理が２Ｄ１Ｇの処理効果を影響する問題を回避することができ、効果的に、正確的に液晶パネルの結像時における画素のグレースケール値を設定し、表示された広視野角画像は色誤差、ライトリーク等の現象が容易に表れる問題を改善する。
【００３４】
本発明のある例示的実施例を表示と記述したが、当業者であれば理解すべきことは、請求の範囲及びその等価のものによりその範囲を限定する本発明の原理と精神を逸脱しない状況に、こちらの実施例に対して修正することができる。
【図１】
0006518792.tif 000002
【図２】
0006518792.tif 000003